(57)【要約】  【課題】大量の液流から大量の霧を発生させ、生産効率を上げる。  【解決手段】高速回転している液体切断部材３に対し、交差するように液流６を供給して、液流を細断する方法や装置である。例えば、自転車の車輪を高速回転させながら、液体切断部材であるスポークに向かって横からホースで水流を噴出させるイメージである。液体切断部材３としては、ワイヤーや糸などの線状があるが、細長い板状や棒状でもよい。板状や棒状の断面形状を、微細霧の発生に適した形状に適宜選定することもできる。前記の液体切断部材は放射方向に配設するのがよく、また液流と同じ方向の気流を中抜き矢印のように発生させるのがよい。【選択図】図２
2014226590.tif 000002
【特許請求の範囲】
【請求項１】
高速回転している液体切断部材に対し、単一又は複数の液流を交差するように供給して、液流を細断することを特徴とする微細霧発生方法。
【請求項２】
前記液体切断部材を放射方向に配設すると共に、液流と同じ方向の気流を発生させることを特徴とする請求項１に記載の微細霧発生方法。
【請求項３】
外輪と内輪との間に多数の液体切断部材を渡し、しかも高速回転させる手段を設けると共に、単一又は複数の液流を前記液体切断部材と交差するように供給して、液流を細断することを特徴とする微細霧発生装置。
【請求項４】
前記液体切断部材を放射方向に配設すると共に複数段設け、しかも液流と同じ方向の気流を発生させる装置を有することを特徴とする請求項３に記載の微細霧発生装置。
【発明の詳細な説明】
【技術分野】
【０００１】
本発明は、液体を微細な霧にする装置並びに方法に関する。
【背景技術】
【０００２】
海水などの液体を微細な霧にする装置や方法として、本発明の発明者は、特許文献１のように、高速回転している円板の中央部に供給した海水などの液体が遠心力で外周に流れた時点で、外周位置に設けてあるストッパー壁に衝突して飛散することによって微細霧が発生する方法を提案した。さらに、特許文献２として、前記液体が遠心力で膜状となって外周から振り切られた際に、その外側に設けてある跳ね返り壁に衝突して飛散することによって微細霧となる方法も提案した。
【先行技術文献】
【特許文献】
【０００３】
【特許文献１】特開2008−12390
【０００４】
【特許文献２】特開2008-132445
【発明の概要】
【発明が解決しようとする課題】
【０００５】
ところが、特許文献１や特許文献２のように、高速回転する円板を利用して、遠心力で液流を壁部に衝突させる方法では、処理できる液体や発生する霧の量が限られ、結果的に生産効率が悪い。
本発明の技術的課題は、このような問題に着目し、大量の液流から大量の霧を発生させ、生産効率を上げることにある。
【課題を解決するための手段】
【０００６】
この技術的課題を解決するために本発明は、次のような手段を講じている。請求項１は、高速回転している液体切断部材に対し、交差するように液流を供給して、液流を細断することを特徴とする微細霧発生方法である。例えば、自転車の車輪を高速回転させながら、液体切断部材であるスポークに向かって横からホースで水流を噴出させるイメージである。液体切断部材としては、ワイヤーや糸などの線状があるが、細長い板状や棒状でもよい。板状や棒状の断面形状を、微細霧の発生に適した形状に適宜選定することもできる。
【０００７】
請求項２は、例えば、自転車のスポークのように、前記液体切断部材を放射方向に配設することを特徴とする請求項１に記載の微細霧発生方法である。さらに、液流と同じ方向の風流を発生させる。
【０００８】
請求項３は、例えば、自転車の車輪のように、外輪と内輪との間に多数の液体切断部材を渡し、しかも高速回転させる手段を設けると共に、前記液体切断部材と交差するように単一又は複数の液流を供給して、前記液体切断部材で液流を細断することを特徴とする微細霧発生装置である。
【０００９】
請求項４は、前記液体切断部材を放射方向に配設すると共に複数段設け、しかも液流と同じ方向の気流を発生させる装置を有することを特徴とする請求項３に記載の微細霧発生装置である。
【発明の効果】
【００１０】
請求項１のように、例えば、自転車のスポークのように、高速回転している液体切断部材に対し、横から交差するように単一又は複数の液流を供給して、液体切断部材で液流を細断する方法によると、液体切断部材に衝突した液流が霧状になり、また液体切断部材で液流が高速でカットされることでも霧状になる。しかも、例えば円周方向に液流を多数配置できるので大量の液流を処理して霧状を大量に発生でき、生産効率が良い。
【００１１】
請求項２のように、例えば、自転車のスポークのように、前記液体切断部材をリムとハブの間に放射方向に配設すると、容易に装置を実現でき、また液流と同じ方向の気流を発生させる構造も容易に実現できる。
【００１２】
請求項３のように、例えば、自転車の車輪のように、外輪と内輪との間に多数の液体切断部材を渡した構造は、従来の技術で容易に実現できる。また、高速回転させる手段は、内輪とモータを軸で連結することで容易に可能である。さらに、前記液体切断部材と交差するように単一又は複数の液流を供給して、前記液体切断部材で液流を細断する構成は、水道の蛇口のようにして、容易に実現できる。
【００１３】
請求項４のように、前記液体切断部材を放射方向に配設すると共に複数段設けた装置は、例えば、自転車の車輪を複数段に重ねた構成となり、容易に実現できる。しかも、気流と同じ方向の風流を発生させる装置は、液流を供給する蛇口と並行して送風管を設ければ足りるので、容易に製造できる。
【図面の簡単な説明】
【００１４】
【図１】本発明による微細霧発生装置の正面図である。
【図２】図１に示す微細霧発生装置の断面図である。
【図３】線材の取付け構造を示す平面図である。
【発明を実施するための形態】
【００１５】
次に本発明による微細霧発生装置並びに微細霧発生方法が実際上どのように具体化されるか実施形態を説明する。図１は、本発明による微細霧発生装置の正面図であり、１は外輪、２は内輪、ａはモータ軸である。
外輪１と内輪２との間は、液体切断部材となる針金などの線材３を放射状に取付けることで、一体化されている。そして、外輪１と内輪２とモータ軸ａとは、連結手段４を十字状に渡して連結し、一体に組んである。
【００１６】
図２は、図１の微細霧発生装置をＡ−Ａ断面図で示した図で、線材３は、例えば６段になっている。すなわち、図１のような放射状の線材３を６段設けてある。５は、液流６を供給する管で、図示例では４本配設してある。
いま、モータＭで外輪１と内輪２を高速回転させ、線材３…を高速回転させた状態で、蛇口状の管５…から液流６を噴出させると、線材３…に衝突して微細霧を発生させたり、線材３…で液流６が何度もカットされて微細霧となる。また、液流６が各線材３…に衝突する角度の違いでも微細霧が発生し、飛散する方向も異なる。このような作用が各管５…から噴出する液流６…ごとに、また各線材３…ごとに、しかも６段にわたって繰り返し行われる。
【００１７】
その結果、単純に計算しても、特許文献１、２の場合の４倍の微細霧発生能力がある。管５…の配設には余裕が有るので、５倍以上の能力も可能である。
外輪１と同程度のダクト、或いは管５…と並行な送風管を設けることで、液流６と同じ方向の気流を発生させると、図２の白抜き矢印の方向に微細霧が吹き飛ばされるので、微細霧が淀んだりすること無く、次々と発生し供給される。
結果的に、大量の微細霧を円滑に発生させることができる。従って、液流として海水を用い、気流として熱風を吹き付けると、粒子の微細な塩を製造できる。なお、本発明の微細霧発生装置を複数設置することで、さらに微細霧を量産できる。
【００１８】
図３は、外輪１の外観であり、多数の孔ｈの開いた帯板がリング状になっている。この孔ｈ…に針金や糸などを通すことで、放射状に線材３…を設けることができる。なお、線材３…を６段に設けてあるが、何段か判別できない程度に連続させたり、線材３や板状の部材や棒状の部材を混在させることも可能である。
針金や糸などの線材以外に板状や棒状の部材を液体切断に用いるときは、板状や棒状の部材の両端を取付けるネジを前記孔ｈ…に通すこともできる。
【産業上の利用可能性】
【００１９】
以上のように、高速回転している線材などの液体切断部材に対し、交差するように液流を供給し、液流と同じ方向の気流を発生させると、液流の細断や衝突で微細霧が発生し、しかも大量の霧を発生させて生産効率を上げることができる。
【符号の説明】
【００２０】
１  外輪
２  内輪
ａ  モータ軸
３  線材
４  連結手段
５  蛇口状の管
６  液流
Ｍ  モータ
【図１】
2014226590.tif 000003
【図２】
2014226590.tif 000004
【図３】
2014226590.tif 000005